(57)【要約】【課題】使用者が把持するハンドル部にバッテリパックを装填する形態の電動工具において、複数のバッテリセルの配置によってはハンドル部の断面形状が把持しづらいものになっていた。本発明では、３つのバッテリセルを備えるバッテリパックを装填する形態において、把持しやすいハンドル部の断面形状とすることにより電動工具の作業性を高めることを目的とする。【解決手段】ハンドル部の前側に１つのバッテリセルが位置し、後ろ側に２つのバッテリセルが横並び状態で位置するように３つのバッテリセルを配置して、横断面形状が概ね三角形となるハンドル部の前面に頂部を位置させ、後面に底辺部を位置させて、前面の頂部に指先が当接させて把持する構成とする。【選択図】図２
2009083089.tif 000002
【特許請求の範囲】
【請求項１】
手持ち式電動工具のハンドル部であって、その横断面形状を三角形と見たときに、把持した手の指先側に前記三角形の頂部が位置し、手の平側に前記三角形の底辺が位置するハンドル部。
【請求項２】
請求項１記載のハンドル部であって、三つのバッテリセルを有するバッテリパックを装填可能であり、該三つのバッテリセルのうち１つのバッテリセルを前側に配置し、他の２つのバッテリセルを相互に横並び状態で前記１つのバッテリセルの後ろ側に配置した三角配置に対応して三角形の横断面形状を有し、該三角形の頂部が工具本体に対して前側に位置し、底辺が後側に位置するハンドル部。
【請求項３】
請求項１記載のハンドル部であって、三つのバッテリセルを内蔵しており、該三つのバッテリセルのうち１つのバッテリセルを前側に配置し、他の２つのバッテリセルを相互に横並び状態で前記１つのバッテリセルの後ろ側に配置した三角配置に対応して三角形の横断面形状を有し、該三角形の頂部が工具本体に対して前側に位置し、底辺が後ろ側に位置するハンドル部。
【請求項４】
手持ち式電動工具のハンドル部に装填するバッテリパックであって、三つのバッテリセルを有し、該三つのバッテリセルのうち、１つのバッテリセルが工具本体の前部側に位置し、残り２つのバッテリセルが相互に横並び状態で前記工具本体の後部側に位置して、該三つのバッテリセルが前部側に頂部を位置させ、後部側に底辺を位置させた三角形状に配置されたバッテリパック。
【請求項５】
請求項４記載のバッテリパックであって、前記ハンドル部に対して係合する左右一対の固定爪部を有し、該両固定爪部は、前記頂部に向かって相互に接近する方向に傾斜した指当て部を備えており、その指当て部を指先で相互に接近する方向に押して前記ハンドル部に対する係合が解除される構成とされ、
前記両指当て部に、指先の前記頂部側への滑りを防止するための滑り止め部を設けた構成としたバッテリパック。
【発明の詳細な説明】
【技術分野】
【０００１】
この発明は、手に持って使用する手持ち式の電動工具のハンドル部に関する。
【背景技術】
【０００２】
例えば、バッテリ式の孔あけドリルであって、概ね円柱体形の工具本体の側部から側方へ突き出す状態に設けられたハンドル部を備えた電動工具においては、電源としてのバッテリパックをハンドル部内に装填する構成としたものが提供されている。
係る手持ち式かつバッテリ式の電動工具について、例えば下記の特許文献には、三つの円柱体形状をなすバッテリセルを有するバッテリパックをハンドル部内のバッテリ収容スペースに固定するためのロック機構に関する技術が記載されている。
【特許文献１】独国特許出願第10 2005 036 449.7号明細書
【発明の開示】
【発明が解決しようとする課題】
【０００３】
しかしながら、上記の特許文献に記載された技術によれば、三つバッテリセルを横並びではなく三角形の各頂点に位置させた三角形状に配置したバッテリパックについて、これをハンドル部の前面側が平坦面となる向きに装填する構成となっていた。このため、ハンドル部を把持した手の指先が当該平坦面に当接され、逆に手の平が三角形の頂点に当接されることとなり、結果として当該ハンドル部を把持した使用者にとっては把持しづらいハンドル形状になっていた。
このハンドル部の把持感（把持した感触、握りやすさ）について、特に小型の手持ち工具の場合には、通常ハンドル部を把持した片手で当該電動工具を支えて作業を行うことが通常であることから、当該ハンドル部の把持感は作業性の善し悪しを大きく左右することがある。例えば孔あけドリルの場合には、ハンドル部を把持しづらいために先端工具を加工材に押し付ける際に使用者が手に力（押し付け力）を入れにくくなり、この点で作業性が損なわれる問題があった。
本発明は、係る観点からなされたもので、ハンドル部の把持感をよくすることによって電動工具の作業性（使い勝手）を高めることを目的とする。
【課題を解決するための手段】
【０００４】
このため、本発明は、特許請求の範囲の各請求項に記載した構成のハンドル部とした。
請求項１記載のハンドル部によれば、工具本体の先端側となる前面側に三角形の頂部が位置し、後面側に三角形の底辺が位置する。このため、使用者がこのハンドル部を把持すると、指先に頂部側が当接し、手の平に底辺側が当接することから、その把持感をよくすることができるとともに、工具本体の先端側に装着した先端工具を加工材に向けて押し付けるための力を入れやすくなり、この点で当該電動工具の作業性若しくは使い勝手を向上させることができる。
ここで、ハンドル部の横断面形状に関して三角形とは、数学的に正確な三角形に限定されるものではなく、各辺が湾曲して概ね円形をなすが、その周囲三カ所に曲率（曲率半径の逆数）が大きくなって頂部（断面円弧形状の角部）と見なすことができる部分を有することにより概ね三角形状と見なすことができるものも含むものとする。手持ち式工具のハンドル部は、むしろ後者の三角形状に該当する。これにより、使用者が当該ハンドル部を把持したときに、指先が曲率が大きい頂部に相当する部分に当接し、手の平が曲率がより小さな底辺に相当する部分に当接される。この場合、使用者は当該ハンドル部を握りやすく感じ、その把持感が高められる。
また、三角形の底辺に相当する部分に手の平が当接することから、当該電動工具を加工材に向けて押し付けるための力を入れやすくなり、この点で当該電動工具の作業性若しくは使い勝手を高めることができる。
【０００５】
請求項２記載のハンドル部によれば、三つのバッテリセルを横並びではなく、ピラミッド形に三角配置したバッテリパックの場合、当該バッテリパックは概ね三角形の横断面形状を有する。この横断面三角形の頂点をハンドル部の前面側に位置させ、底辺を後面側に位置させ、これに対応して当該ハンドル部の横断面形状に関して曲率の大きな部分（三角形の頂点に相当する部分）を前面側に配置し、曲率の小さな部分（三角形の底辺に相当する部分）を後面側（手前側）に位置させることができる。
ハンドル部の前面側に曲率の大きな部分が位置し、この部分に指先が当接することから、使用者は当該ハンドル部を握りやすいと感じ、従ってその把持感を高めることができる。
また、使用者から見て手前側により曲率が小さい面（より平坦面に近い曲面）が位置し、この平坦に近い部分に手の平が当接することから、使用者は当該電動工具に対して加工材に向けた押し付け力を入れやすくなり、この点で当該電動工具の作業性若しくは使い勝手が向上する。
請求項３記載のハンドル部によれば、バッテリセル内蔵タイプの場合についても上記のバッテリパックタイプと同様の作用効果を得ることができる。
請求項４記載のバッテリパックによれば、従来とは逆に三つのバッテリセルの配置形状に関して頂部がハンドル部の前側に位置し、底辺が後部側に位置する三角形状（ピラミッド形）に配置されることから、ハンドル部の横断面形状を、前側が尖って（曲率が大きな湾曲面）、後ろ側がより緩やかな面（曲率が小さな湾曲面）となる概ね三角形状とすることができる。このことから、請求項４に記載したバッテリセルの配置構造によれば、請求項１記載のハンドル部と同様、これが装填されるハンドル部を把持しやすい横断面形状とすることができ、これにより電動工具の作業性及び使い勝手を向上させることができる。
請求項５記載のバッテリパックによれば、固定爪部の解除操作を確実かつ楽に行うことができる。左右の指当て部が頂部側に向かって相互に接近する方向に傾斜している場合には、両指当て部を指先で押し操作すると指先は頂部側へ滑りやすくなって解除操作しづらくなる。この点、請求項５記載のバッテリパックによれば、指当て部に滑り止め部が設けられて指先が頂部側に滑らないようになっていることから、両指当て部の押し操作を確実に行うことができ、ひいては左右の固定爪部の解除操作を迅速に行ってバッテリパックの取り外しを楽に行うことができる。
【発明を実施するための最良の形態】
【０００６】
次に、本発明の実施形態を図１及び図２に基づいて説明する。図１は、本実施形態に係るハンドル部１０を備えた手持ち式の電動工具１の全体を示している。本例では、手持ち式電動工具１の一例として比較的小型の孔あけドリルを示している。以下の説明では、部材、部位等の方向について、孔あけが進行する方向を前側若しくは先端側とし、その反対方向を後ろ側とする。
この電動工具１は、概ね円柱体形の工具本体２を備えている。この工具本体２の側部から上記ハンドル部１０が突き出す状態に設けられている。工具本体２の本体ハウジング６とハンドル部１０のハンドルハウジング１１は相互に一体に形成されている。
工具本体２の前端（図１において右端）には、先端工具Ｔを装着するためのチャック部３が設けられている。この先端工具Ｔを加工材Ｗに押し付けることにより当該加工材Ｗが孔あけ加工される。工具本体２には電動モータ４が内蔵されている。この電動モータ４を駆動源として先端工具Ｔがその軸回りに回転する。電動モータ４は、ハンドル部１０の基部前側に配置したトリガ形式のスイッチレバー５を指先で引き操作することによって起動する。
工具本体２については本発明を実施するにあたって特に変更を要しないので、詳細な説明を省略する。
【０００７】
ハンドル部１０は、使用者が片手で把持するに適した太さ及び断面形状を有している。このハンドル部１０（ハンドルハウジング１１）の先端部（図１において下端部）には、充電式のバッテリパック２０が装着されている。例示した電動工具１は、このバッテリパック２０を電源として動作する。すなわち、電動モータ４は、バッテリパック２０を電源として起動する。
バッテリパック２０は、図２に示すように三つバッテリセル２１〜２３をバッテリケース２４に内装した構成を有しており、この点は従来と同様である。バッテリケース２４の下端部には、蓋部２４ａが設けられている。当該バッテリパック２０をハンドル部１０に装着すると、この蓋部２４ａがハンドルハウジング１１の内部（バッテリ収納スペース）を塞ぐ蓋として機能する。蓋部２４ａの左右両側部には、２つの固定爪部２４ｂ，２４ｂが左右対をなして設けられている。この左右の固定爪部２４ｂ，２４ｂがハンドルハウジング１１に係合されることにより、当該バッテリパック２０の装着状態が保持される。両固定爪部２４ｂ，２４ｂを指先で押してバッテリハウジング１１に対する係合状態を解除すると、バッテリパック２０をハンドルケース１１内から取り外すことができ、取り外して当該バッテリパック２０を充電若しくは別のものに交換することができる。
【０００８】
三つのバッテリセル２１〜２３は、それぞれ円柱体形状を有し、横並びの並列配置ではなく相互に三角形の各頂点に相当する位置（ピラミッド形）に配置されている。以下、この配置形態を三角配置ともいう。本例では図示するように各バッテリセル２１〜２３の中心軸線２１ａ〜２３ａが正三角形の各頂点に位置する関係に当該バッテリセル２１〜２３が三角配置されている。
上記のように三つのバッテリセル２１〜２３が三角配置されることにより、バッテリケース２４も概ね三角形の横断面形状を有している。但し、バッテリケース２４の三カ所の角部（三角形の頂点に相当する位置）は、バッテリセル２１〜２３の周面に沿った曲率で湾曲した円弧面に形成されている。この明細書及び特許請求の範囲の記載では、この形状も含めて三角形と呼ぶ。この三角配置は、前側に１つのバッテリセル２３を配置し、その後ろ側に相互に横並びに配置された２つのバッテリセル２１，２２を相互に接触する状態に位置させた配置となっている。
このように三つのバッテリセル２１〜２３を三角配置し、従って横断面形状が三角形を有するバッテリケース２４ひいては当該バッテリパック２０に対応してハンドルハウジング１１も、概ね三角形の横断面形状を有している。バッテリパック２０は、その三角形の頂点に相当する部分を前側に位置させ、三角形の底辺に相当する部分を後ろ側に位置させた向きでハンドルハウジング１１内に装填されている。このため、ハンドルハウジング１１は、前側に曲率が大きな頂部１１ａが位置し、後ろ側に曲率がより小さな底辺部１１ｂが位置する概ね三角形の横断面形状を有している。
このため、使用者が当該ハンドル部１０を把持すると、前側の頂部１１ａに指先が当接し、後ろ側の底辺部１１ｂに手の平が当接することから、その逆である従来構成に比して握りやすくなっている。
【０００９】
以上のように構成した本実施形態に係るハンドル部１０によれば、概ね三角形の横断面形状を有し、より鋭角に近い（曲率が大きい）頂部１１ａが前側に位置し、より平坦面に近い（曲率が小さい）底辺部１１ｂが後ろ側に位置している。このため、図２に示すように使用者は、頂部１１ａに指先Ｈｆを引き掛け、底辺部１１ｂに手の平Ｈｐを押し付けた状態で当該ハンドル部１０を片手Ｈで把持することができ、従来よりも良好な把持感を持ってハンドル部１０を把持することができる。
また、手の平Ｈｐを後ろ側のより平坦面に近い底辺部１１ｂに押し付けて把持することができるので、孔あけ作業に必要な当該電動工具１の押し付け力Ｐをハンドル部１０に加えやすく、この点で当該電動工具１の作業性及び使い勝手を向上させることができる。
【００１０】
以上説明した実施形態には種々変更を加えて実施することができる。前記したように左右の固定爪部２４ｂ，２４ｂを指先で押してバッテリハウジング１１に対する係合状態を解除することによって、バッテリパック２０をハンドルケース１１内から取り外すことができる。図２に示すように左右の固定爪部２４ｂ，２４ｂは、その指当て部を断面三角形の２側面に沿わせて配置している結果、バッテリハウジング１１の頂部１１ａに向かって相互に接近する方向に傾斜した向きに配置されている。このため、左右の固定爪部２４ｂ，２４ｂの指当て部を例えば親指と人差し指で両側から挟むようにして押すと、押す方向に対して指当て部が直交せず比較的大きな角度で傾斜しているため、指先がこの指当て部に対して頂部１１ａ側に滑って押し操作しづらい場合がある。
図３及び図４には、この問題を解消するために左右の固定爪部３１，３２の指当て部３１ａ，３２ａにそれぞれ滑り止め部３１ｂ，３２ｂを設けたバッテリパック３０が記載されている。図示する例では、両指当て部３１ａ，３２ａの前側に滑り止め部３１ｂ，３２ｂが設けられている。左右の指当て部３１ａ，３２ａにはそれぞれ横方向のリブが上下に３本ずつ並んで設けられており、各リブの前側半分ほどの範囲が側方へ張り出してその先端面（指先が当たる面）がＶ字形に屈曲した状態に形成されることで滑り止め部３１ｂ，３２ｂが設けられている。
両滑り止め部３１ｂ，３２ｂは、相互にほぼ平行に配置されて、指の押し方向に対して概ね直交する状態に設けられている。
この滑り止め部３１ｂ，３２ｂによって指先が頂部１１ａ側へ滑ることが防止され、両指当て部３１ａ，３２ａを確実に押し操作することができ、これにより当該バッテリパック３０の使い勝手をよくすることができる。左右の滑り止め部３１ｂ，３２ｂの周囲にはほぼ同じ高さで側方へ張り出すガード部３１ｃ，３２ｃが設けられている。このガード部３１ｃ，３２ｃによって当該指当て部３１ａ，３２ａ（又は滑り止め部３１ｂ，３２ｂ）の不用意な押し操作が防止される。
なお、滑り止め付きのバッテリパック３０においても、前記と同様３つのバッテリセルが三角配置されてハンドル部１０が把持しやすくなっている。
【００１１】
以上説明した実施形態には、さらに変更を加えることができる。例えば、三つのバッテリセル２１〜２３を有するバッテリパック２０を例示したが、４つ以上のバッテリセルを有するバッテリパックの場合にも同様に適用することができる。４つのバッテリセルの場合には、前側に１つのバッテリセルを位置させ、後ろ側に三つのバッテリセルを相互に横並びに位置させたピラミッド形に配置することによりハンドル部の横断面形状を概ね三角形状とすることができる。五つのバッテリセルの場合には、前列に１つ、中列に２つ、後列に２つのバッテリセルを位置させて概ねピラミッド形に配置したバッテリパックとすることができる。
また、六つのバッテリセルの場合には、前列に１つ、中列に２つ、後列に三つのバッテリセルを横並びに位置させてピラミッド形に配置したバッテリパックとすることができる。さらに、六つのバッテリセルを収容するバッテリパックの場合には、三角配置した三つのバッテリセルをハンドル長手方向の上下二段に収容する構成とすることによっても同様の作用効果を得ることができる。
このように複数のバッテリセルの配置をピラミッド形（三角形状）とすることによって、ハンドル部の横断面形状を概ね三角形状とし、その頂部を前側、底辺を後ろ側とすることにより同様の作用効果を得ることができる。従って、三つ以上のバッテリセルをバッテリパックに収容した状態でハンドル部に装填するバッテリパック式に限らず、三つ以上のバッテリセルをバッテリパックを介することなく直接ハンドル部内に内蔵したセル内蔵タイプのハンドル部についても同様に適用することができる。要は、バッテリパックの横断面形状若しくはバッテリセルの配置形状とは関係なく、ハンドル部の横断面形状を概ね三角形状とし、かつその頂部を前側とし、底辺を後ろ側とすることにより握りやすいハンドル部とすることができる。このことから、本発明は、ハンドル部にバッテリパックを装填しない形態の電動工具、例えば交流電源を電源とする電動工具にも適用することができる。
また、電動工具として孔あけ工具（いわゆる電気ドリル）を例示したが、例えばねじ締め等その他の作業を行う電動工具に適用することができる。
【図面の簡単な説明】
【００１２】
【図１】例示した実施形態に係るハンドル部を備えた電動工具の全体側面図である。本図では、工具本体の後部側及びハンドル部の全体の内部構造が示されている。
【図２】図１の(2)-(2)線断面矢視図である。本図は、使用者が右手でハンドル部を把持した状態を示している。
【図３】滑り止め部を有する固定爪部を備えたバッテリパックの横断面図である。
【図４】滑り止め部を有する固定爪部を備えたバッテリパックの全体斜視図である。本図は、ハンドルハウジングから取り外した状態のバッテリパックを示している。
【符号の説明】
【００１３】
１…バッテリ式電動工具
２…工具本体
３…チャック部
４…電動モータ
５…スイッチレバー
６…本体ハウジング
１０…ハンドル部
１１…ハンドルハウジング
１１ａ…頂部、１１ｂ…底辺部
２０…バッテリパック
２１〜２３…バッテリセル、２１ａ〜２３ａ…中心軸線
２４…バッテリケース、２４ａ…蓋部、２４ｂ…固定爪部
３１ｂ，３２ｂ…滑り止め部
Ｔ…先端工具（ツール）
Ｗ…加工材
Ｈ…使用者の手
Ｈｆ…指先
Ｈｐ…手の平
Ｐ…押し付け力
【図１】
2009083089.tif 000003
【図２】
2009083089.tif 000004
【図３】
2009083089.tif 000005
【図４】
2009083089.tif 000006